(57)【要約】【課題】ハーネスに備えられグロメットで覆われたハーネスコネクタを回路基板側のコネクタに結合する際の作業性が容易な表示装置を提供する。【解決手段】液晶表示器１（表示器）と、この液晶表示器１の背後に配置され液晶表示器１を駆動する駆動手段やコネクタ２を備えた回路基板３と、液晶表示器１および回路基板３が収納されコネクタ２を臨む壁部５を有する開口穴６が設けられたケース７と、コネクタ２と結合されるハーネスコネクタ８とグロメット９とを有するハーネス１０とを備え、グロメット９はハーネスコネクタ８に接続されるワイヤ２３が挿通される筒部２５と、この筒部２５より径大であってハーネスコネクタ８の周囲を覆うと共に壁部５に嵌め込まれる裾部２６と、筒部２５と裾部２６とを繋ぐ傘部２７と、筒部２５と傘部２７との角に設けられ傘部２７をハーネスコネクタ８の反対側に反転変形させた状態を維持可能にさせる屈曲基部２８とを有している。【選択図】図１
2010195256.tif 000002
【特許請求の範囲】
【請求項１】
表示器と、この表示器の背後に配置され前記表示器を駆動する駆動手段やコネクタを備えた回路基板と、前記表示器および前記回路基板が収納され前記コネクタを臨む壁部を有する開口穴が設けられたケースと、前記コネクタと結合されるハーネスコネクタとグロメットとを有するハーネスとを備え、前記グロメットは前記ハーネスコネクタに接続されるワイヤが挿通される筒部と、この筒部より径大であって前記ハーネスコネクタの周囲を覆うと共に前記壁部に嵌め込まれる裾部と、前記筒部と前記裾部とを繋ぐ傘部と、前記筒部と前記傘部との角に設けられ前記傘部を前記ハーネスコネクタの反対側に反転変形させた状態を維持可能にさせる屈曲基部とを有していることを特徴とする表示装置。
【請求項２】
前記屈曲基部は、前記傘部側よりも前記筒部の中心軸側が前記ハーネスコネクタ側に傾いた傾斜平面部からなることを特徴とする請求項１に記載の表示装置。
【請求項３】
前記屈曲基部は、前記ハーネスコネクタ側に突き出した半円状の凹部からなることを特徴とする請求項１または請求項２に記載の表示装置。
【請求項４】
前記屈曲基部は、前記傘部よりも板厚であることを特徴とする請求項１から請求項３の何れかに記載の表示装置。
【請求項５】
前記ハーネスコネクタは、前記傘部を前記ハーネスコネクタの反対側に反転変形させた状態で前記裾部の端縁より露出していることを特徴とする請求項１から請求項４の何れかに記載の表示装置。
【発明の詳細な説明】
【技術分野】
【０００１】
本発明は、例えば車両に備えられる表示装置に関し、特にハーネスを備えた表示装置に関するものである。
【背景技術】
【０００２】
ケース内に表示器および回路基板が収納された車両用の表示装置に於いて、回路基板からケースの外部に電気的接続用のハーネスを引き出す際、或いは車両側のハーネスを回路基板に電気的に接続する際は、回路基板に備えられたコネクタとハーネス側に備えられたハーネスコネクタとを防水・防塵性を考慮した上で結合させることによって成される。この様な結合構造を採用している表示装置として、例えば下記特許文献１がある。
【０００３】
特許文献１に於ける車両用計器装置（表示装置）は、ケース６０を構成するロアカバー６２に回路基板５０に実装された計器側コネクタ５２を臨む開口部６３が形成され、この開口部６３の周囲に筒状のフード部６４が突設されている。一方、ハーネス８０側には車両側コネクタ７０が備えられ、車両側コネクタ７０の周囲を覆うように筒状の防水ブーツ９０が備えられている。そして、車両側コネクタ７０を計器側コネクタ５２に結合し、フード部６４を覆うようにしてフード部６４に防水ブーツ９０を嵌めることによって回路基板５０とハーネス８０とを電気的に接続すると共に、開口部６３から水や埃がケース６０内に入るのを防ぐようにしてある。
【先行技術文献】
【特許文献】
【０００４】
【特許文献１】特開２００７−８５７８６号公報
【発明の概要】
【発明が解決しようとする課題】
【０００５】
しかしながら、上記特許文献１に於いては、ハーネス８０の車両側コネクタ７０（ハーネスコネクタ）が防水ブーツ９０（グロメット）に覆われているために、車両側コネクタ７０を計器側コネクタ５２（コネクタ）に結合する際に両コネクタ７０，５２の結合位置が視認しづらく、結合作業がし難いという面がある。そのため、防水ブーツ９０の計器側コネクタ５２側の開口端部の一部をめくるようにしながら結合しなければならず、作業性が劣っていた。
【０００６】
本発明はこの様な点に鑑みなされたもので、ハーネスに備えられグロメットで覆われたハーネスコネクタを回路基板側のコネクタに結合する際の作業性が容易な表示装置を提供することを目的とする。
【課題を解決するための手段】
【０００７】
本発明は前記目的を達成するため、表示器と、この表示器の背後に配置され前記表示器を駆動する駆動手段やコネクタを備えた回路基板と、前記表示器および前記回路基板が収納され前記コネクタを臨む壁部を有する開口穴が設けられたケースと、前記コネクタと結合されるハーネスコネクタとグロメットとを有するハーネスとを備え、前記グロメットは前記ハーネスコネクタに接続されるワイヤが挿通される筒部と、この筒部より径大であって前記ハーネスコネクタの周囲を覆うと共に前記壁部に嵌め込まれる裾部と、前記筒部と前記裾部とを繋ぐ傘部と、前記筒部と前記傘部との角に設けられ前記傘部を前記ハーネスコネクタの反対側に反転変形させた状態を維持可能にさせる屈曲基部とを有しているものである。
【０００８】
また、前記屈曲基部は、前記傘部側よりも前記筒部の中心軸側が前記ハーネスコネクタ側に傾いた傾斜平面部からなるものである。
【０００９】
また、前記屈曲基部は、前記ハーネスコネクタ側に突き出した半円状の凹部からなるものである。
【００１０】
また、前記屈曲基部は、前記傘部よりも板厚である。
【００１１】
また、前記ハーネスコネクタは、前記傘部を前記ハーネスコネクタの反対側に反転変形させた状態で前記裾部の端縁より露出しているものである。
【発明の効果】
【００１２】
ハーネスに備えられグロメットで覆われたハーネスコネクタを回路基板側のコネクタに結合する際の作業性が容易な表示装置を得ることができる。
【図面の簡単な説明】
【００１３】
【図１】本発明の第１実施形態を示す表示装置の断面図である。
【図２】同表示装置に備えられるハーネスの要部断面図である。
【図３】同ハーネスに備えられるグロメットの傘部を反転変形させた状態を示す断面図である。
【図４】本発明の第２実施形態を示すグロメットの断面図である。
【図５】本発明の第３実施形態を示すグロメットの断面図である。
【発明を実施するための形態】
【００１４】
本発明の第１実施形態を図１〜図３に基づいて説明する。なお、本実施形態に於いては、表示器を液晶表示器１として説明する。
【００１５】
表示装置は、液晶表示器１と、この液晶表示器１の背後に配置され液晶表示器１を駆動する駆動手段やコネクタ２などを備えた硬質の回路基板３と、液晶表示器１を回路基板３に装着するための保持部材４と、液晶表示器１，保持部材４および回路基板３が収納されコネクタ２を臨む壁部５を有する開口穴６が設けられたケース７と、コネクタ２と結合されるハーネスコネクタ８とグロメット９とを有するハーネス１０とを備えている。
【００１６】
本実施形態に於ける液晶表示器１は、詳細な説明は省略するが周知のＴＦＴ型と称される液晶表示素子を備えており、例えば車両の燃料計や車両の作動状態などが表示されるものである。この液晶表示器１は液晶表示素子の他に、図示しないが液晶表示素子を保持する押さえ枠やバックライト光源などを備えている。
【００１７】
ケース７は、分割された前ケース７Ａと後ケース７Ｂとで構成されており、前ケース７Ａは無色透明な合成樹脂からなる窓部１１と、不透過性（例えば黒色）の合成樹脂からなる覆い部１２とが一体形成されたものである。覆い部１２は前部１３と側部１４とからなる。また、前ケース７Ａの前部１３には略円柱状の前取付ボス１５が一体に設けられている。
【００１８】
後ケース７Ｂは、前ケース７Ａと同様に不透過性の合成樹脂からなり、底部１６と側部１４Ａを有し、前ケース７Ａに設けられた前取付ボス１５に対応した箇所に後ケース７Ｂ用の後取付部１７が設けてある。また、底部１６には前述した様に、コネクタ２を臨む壁部５を有する開口穴６が設けてある。
【００１９】
保持部材４は、例えば黒色の合成樹脂からなり、液晶表示器１の可視領域を定める開口部１８と、前ケース７Ａの窓部１１を透してケース７の内部が視認されるのを防ぐ障壁１９と、前ケース７Ａに設けられた前取付ボス１５に対応した固定部２０とがそれぞれ設けてある。
【００２０】
液晶表示器１は、図示しないが、予め保持部材４に固定された後、保持部材４の固定部２０が前ケース７Ａの前取付ボス１５と後ケース７Ｂの後取付部１７との間に回路基板３の端縁と共に配置される。そして、ビス２１を用いて前ケース７Ａの前取付ボス１５にネジ締めすることによって、液晶表示器１が回路基板３に装着されると共に、前ケース７Ａと後ケース７Ｂとが固定される。
【００２１】
ハーネス１０は、回路基板３の背面側に実装されているコネクタ２と結合されるハーネスコネクタ８と、車両側に接続される車両側コネクタ２２と、ハーネスコネクタ８と車両側コネクタ２２とを繋ぐ導電部材としてのワイヤ２３と、ハーネスコネクタ８の周囲を覆うグロメット９を備えている。
【００２２】
グロメット９は、例えば黒色の合成ゴムからなる弾性体であり、保護チューブ２４に挿通されたワイヤ２３が挿通される筒部２５と、この筒部２５より径大であってハーネスコネクタ８の周囲を覆うと共に後ケース７Ｂに設けられた壁部５に嵌め込まれる裾部２６と、筒部２５と裾部２６とを繋ぐ傾斜された傘部２７と、筒部２５と傘部２７との角に設けられ傘部２７をハーネスコネクタ８の反対側に反転変形させた状態を維持可能にさせる屈曲基部２８とを有している。傘部２７および裾部２６は屈曲基部２８よりもハーネスコネクタ８側（回路基板３側）に位置するようになっている。なお、筒部２５は保護チューブ２４にテーピングされて固定されている。
【００２３】
本実施形態に於ける屈曲基部２８は、筒部２５の周囲に筒部２５よりも若干径の大きい径大部２９を設け、この径大部２９と傘部２７との間に筒部２５および傘部２７とは傾きが異なる屈曲基部２８を全周一定に設けたものであり、屈曲基部２８は傘部２７側よりも筒部２５の中心軸Ｌ側がハーネスコネクタ８側に傾いた傾斜平面部からなるものである（径大部２９との成す角度が９０度未満である）。
【００２４】
ハーネス１０の装着作業について説明する。図１は、ハーネス１０側のハーネスコネクタ８を回路基板３側のコネクタ２に結合させると共に、グロメット９の裾部２６を後ケース７Ｂの壁部５に嵌め込んだ状態を示す図であるが、この結合作業の前に以下のことを行う。
【００２５】
図２の状態に於いて、グロメット９の裾部２６を筒部２５側（矢印Ｚ側）に押す。すると、ハーネスコネクタ８側にあったグロメット９の傘部２７が、屈曲基部２８を支点としてハーネスコネクタ８の反対側に反転変形し、図３に示す様な状態となって、この状態が維持される。反転変形した状態に於いては、ハーネスコネクタ８はグロメット９の裾部２６の端縁Ｓより露出するようになる。
【００２６】
この状態で、ハーネス１０側のハーネスコネクタ８を回路基板３側のコネクタ２に結合させた後、グロメット９の裾部２６を反転変形させる前の状態、即ち、ハーネスコネクタ８側（コネクタ２側）に戻して裾部２６を後ケース７Ｂの壁部５に嵌め込むようにする。
【００２７】
この様に、液晶表示器１と、コネクタ２を備えた回路基板３と、液晶表示器１および回路基板３が収納されコネクタ２を臨む壁部５を有する開口穴６が設けられたケース７と、コネクタ２と結合されるハーネスコネクタ８とグロメット９とを有するハーネス１０とを備えた表示装置であって、グロメット９をハーネスコネクタ８に接続されるワイヤ２４が挿通される筒部２５と、この筒部２５より径大であってハーネスコネクタ８の周囲を覆うと共に壁部５に嵌め込まれる裾部２６と、筒部２５と裾部２６とを繋ぐ傘部２７と、筒部２５と傘部２７との角に設けられ傘部２７をハーネスコネクタ８の反対側に反転変形させた状態を維持可能にさせる屈曲基部２８とを有するものとすることにより、ハーネス１０に備えられグロメット９で覆われたハーネスコネクタ８を回路基板３側のコネクタ２に結合する際、予めグロメット９の裾部２６を筒部２５側に移動させて傘部２７を反転変形させた状態で結合作業ができるため、コネクタ２とハーネスコネクタ８との結合位置が視認可能となり、結合作業性が容易である表示装置を得ることができる。
【００２８】
また、屈曲基部２８が傘部２７側よりも筒部２５の中心軸Ｌ側がハーネスコネクタ８側に傾いた傾斜平面部からなるため、グロメット９の裾部２６を筒部２５側に押した際、傾斜平面部の基部側（径大部２９側）から傘部２７が容易に曲がり易くなって反転変形がスムーズに行われる。従って、その後のコネクタ２とハーネスコネクタ８との結合作業もスムーズに行える。更に、屈曲基部２８が全周一定に設けられていることにより、反転変形した後の傘部２７の形状もほぼ一定となり、反転変形された状態が維持されやすい。
【００２９】
また、傘部２７をハーネスコネクタ８の反対側に反転変形させた状態で、ハーネスコネクタ８が裾部２６の端縁Ｓより露出しているため、コネクタ２とハーネスコネクタ８との結合位置が確実に視認可能となり、ハーネスコネクタ８をコネクタ２に結合する際の結合作業性が容易である。
【００３０】
なお、本実施形態に於いては、筒部２５の周囲に筒部２５よりも若干径の大きい径大部２９を設けたが、この径大部２９は無くとも良い。但し、径大部２９が存在することにより、その部分の剛性がアップし、径大部２９より剛性の低い屈曲基部２８および傘部２７が変形し易くなる。
【００３１】
本発明の第２実施形態を図４に基づいて説明する。本実施形態は前記第１実施形態とはグロメット９の屈曲基部２８の形状が異なる。なお、前記第１実施形態と同一もしくは相当箇所については同一符号を付して詳細説明は省略する。
【００３２】
本実施形態に於けるグロメット９の屈曲基部２８は、ハーネスコネクタ８側に突き出した断面が半円状の凹部からなるものである。この凹部は筒部２５際に全周一定に設けられており、前記第１実施形態の様な径大部２９は無い。
【００３３】
この様に構成したことにより、前記第１実施形態と同様に、予めグロメット９の裾部２６を筒部２５側に移動させて傘部２７を反転変形させた状態でコネクタ２とハーネスコネクタ８との結合作業ができるため、コネクタ２とハーネスコネクタ８との結合位置が視認可能となり、結合作業性が容易である表示装置を得ることができる。また、屈曲基部２８がハーネスコネクタ８側に突き出した断面が半円状の凹部からなるため、グロメット９の裾部２６を筒部２５側に押した際、凹部から傘部２７が容易に曲がり易くなって反転変形がスムーズに行われる。
【００３４】
本発明の第３実施形態を図５に基づいて説明する。本実施形態は前記第２実施形態とはグロメット９の屈曲基部２８の形状が異なるのみである。なお、前記各実施形態と同一もしくは相当箇所については同一符号を付して詳細説明は省略する。
【００３５】
本実施形態に於けるグロメット９の屈曲基部２８は、筒部２５の中心軸Ｌとの成す角度が９０度となっている（つまり平坦部からなる）と共に、屈曲基部２８の板厚ｔ１が傘部２７の板厚ｔ２よりも厚くなっている。
【００３６】
この様に構成したことにより、前記各実施形態と同様に、予めグロメット９の裾部２６を筒部２５側に移動させて傘部２７を反転変形させた状態でコネクタ２とハーネスコネクタ８との結合作業ができるため、コネクタ２とハーネスコネクタ８との結合位置が視認可能となり、結合作業性が容易である表示装置を得ることができる。また、屈曲基部２８の板厚ｔ１が傘部２７の板厚ｔ２よりも厚くなっているため、グロメット９の裾部２６を筒部２５側に押した際、板厚が厚く剛性のある屈曲基部２８と傘部２７との交点から傘部２７が容易に曲がり易くなって反転変形がスムーズに行われる。
【００３７】
なお、本発明は前記各実施形態に限定するものではない。例えば、表示器として液晶表示器を例に説明したが、指針を備えたアナログ式の表示器であっても良い。また、グロメットは柔軟性を有する合成樹脂でも良い。また、グロメットの屈曲基部の形状は実施形態に限定されるものではなく、筒部と傘部との角に全周一定に設けられていれば形状は任意である。
【符号の説明】
【００３８】
１  液晶表示器（表示器）
２  コネクタ
３  回路基板
５  壁部
６  開口穴
７  ケース
７Ａ  前ケース
７Ｂ  後ケース
８  ハーネスコネクタ
９  グロメット
１０  ハーネス
２５  筒部
２６  裾部
２７  傘部
２８  屈曲基部
Ｌ  中心軸
Ｓ  端縁
【図１】
2010195256.tif 000003
【図２】
2010195256.tif 000004
【図３】
2010195256.tif 000005
【図４】
2010195256.tif 000006
【図５】
2010195256.tif 000007